(57)【要約】【課題】ＨＤＭＩ接続のテレビと、アナログ音声接続のアンプを使用する場合、コストアップ無しで最適な条件を設定する。【解決手段】ＨＤＭＩ接続先情報によってＨＤＭＩ出力とアナログ出力の音声方式を決める設定と、ＨＤＭＩ接続先の音声情報を無視して音声方式を決める設定との、２つの設定を持つ。【選択図】図１
2005310258.tif 000002
【特許請求の範囲】
【請求項１】
映像・音声ストリームをデコードしデジタル音声出力を１系統とデジタル映像出力を持つデコード手段と、前記デコード手段からの映像・音声データをＨＤＭＩ伝送するＨＤＭＩ出力手段と、前記デコード手段からの音声データをアナログ信号に変換して出力するアナログ音声出力手段と、ＨＤＭＩ接続先情報と設定を入力してデコード手段の音声出力を制御する制御手段とを備え、前記制御手段から入力されるＨＤＭＩ接続先情報によってＨＤＭＩ出力とアナログ出力の音声方式を決める設定と、ＨＤＭＩ接続先の音声情報を無視して音声方式を決める設定との、２つの設定を持つことを特徴とする映像音声信号再生装置。
【発明の詳細な説明】
【技術分野】
【０００１】
本発明は、ＤＶＤプレーヤのように映像と音声を再生可能であり、ＨＤＭＩ出力とアナログ出力との２系統の出力を持つ機器に関するものである。
【背景技術】
【０００２】
近年、アナログ伝送による劣化を防ぐため、映像信号のデジタル伝送が増えつつある。さらに、映像信号の隙間に音声信号を入れて伝送するＨＤＭＩ機能を持った映像音声信号再生装置が発売されようとしている。ＨＤＭＩは、デジタル伝送によって信号の劣化が発生しないだけでなく、接続先の機器の情報を読みとって出力形式を合わせたり、暗号化して伝送することにより違法コピーを防止する特徴を持っている。
【０００３】
接続先の機器の情報を読みとって出力形式を合わせる機能は便利であるが、デコーダの音声出力が１系統しかない場合には、アナログ出力も強制的に切り換えられてしまう。
【０００４】
例えば、６チャンネルのアナログ音声入力を持つアンプに接続し、映像をテレビにＨＤＭＩ接続した場合、テレビは一般に音声が２チャンネルなので、再生装置の出力はＨＤＭＩで２チャンネルに自動設定されてしまい、アンプからの出力も２チャンネルに制限されてしまう。
【０００５】
図２はＨＤＭＩ接続の第１の例を示す。図２において、２１はテレビ、２２はＡＶアンプ、２３はＤＶＤプレーヤ、２４はスピーカ群であり、ＤＶＤプレーヤ２３からＡＶアンプ２２へはＨＤＭＩで接続され、ＡＶアンプ２２の映像出力がテレビ２１に接続され、ＡＶアンプ２２のスピーカ出力がスピーカ群２４に接続されて構成されている。ＤＶＤプレーヤ２３は、ＡＶアンプ２２の接続先情報を読み取り、情報に合う形式でＨＤＭＩ出力する。ＡＶアンプ２２の情報が音声６チャンネルになっていれば、ＤＶＤプレーヤ２３の音声出力は自動的に６チャンネルになる。
【０００６】
図３はＨＤＭＩ接続の第２の例を示す。図３において、３１はテレビ、３２はＡＶアンプ、３３はＤＶＤプレーヤ、３４はスピーカ群であり、ＤＶＤプレーヤ３３からテレビ３１へはＨＤＭＩで接続され、ＤＶＤプレーヤ３３のアナログ音声出力がＡＶアンプ３２に接続され、ＡＶアンプ３２のスピーカ出力がスピーカ群２４に接続されて構成されている。ＤＶＤプレーヤ３３は、ＨＤＭＩ接続先であるテレビの情報を読みとり、テレビの音声が２チャンネルなので、２チャンネルで出力する。ＤＶＤプレーヤ３３からのＨＤＭＩの音声とアナログ音声出力が両方とも２チャンネルになってしまい、ＡＶアンプから接続されているスピーカ群からは、２チャンネルの音しか出ない。
【０００７】
これを回避するために、２個のデコーダを搭載する方法がある。図４は映像音声信号再生装置の例を示す。図４において、４１は第１デコード手段、４２は第２デコード手段、４３はＨＤＭＩ出力手段、４４はアナログ音声出力手段、４５は制御手段で構成している。制御手段４５は、ＨＤＭＩ接続先情報を読み取り、その情報に合わせて音声出力するように第１デコード手段４１を制御し、同時にＨＤＭＩ接続先情報に無関係にデコードするよう第２デコード手段４２を制御する。この方法により、図３の接続においてもスピーカ群から６チャンネルの音を出すことができる。しかし、２つのデコード手段が必要なので、デコード手段がひとつの場合と比べてコストが高くなってしまう。
【発明の開示】
【発明が解決しようとする課題】
【０００８】
解決しようとする課題は、ＨＤＭＩ接続のテレビと、アナログ音声接続のアンプを使用する場合、コストアップ無しで最適な条件を設定することができない点である。
【課題を解決するための手段】
【０００９】
この課題を解決するために本発明の映像音声信号再生装置は、映像・音声ストリームをデコードしデジタル音声出力を１系統とデジタル映像出力を持つデコード手段と、デコード手段からの映像・音声データをＨＤＭＩ伝送するＨＤＭＩ出力手段と、デコード手段からの音声データをアナログ信号に変換して出力するアナログ音声出力手段と、ＨＤＭＩ接続先情報と設定を入力してデコード手段の音声出力を制御する制御手段とを備え、ＨＤＭＩ接続先情報によってＨＤＭＩ出力とアナログ出力の音声方式を決める設定と、ＨＤＭＩ接続先の音声情報を無視して音声方式を決める設定との、２つの設定を持つように構成したものである。
【発明の効果】
【００１０】
本発明は、ＨＤＭＩ接続のテレビと、アナログ音声接続のアンプを使用する場合、コストアップ無しで最適な条件を設定することができるという優れた効果が得られるものである。
【発明を実施するための最良の形態】
【００１１】
本発明の請求項１に記載の発明は、映像・音声ストリームをデコードしデジタル音声出力を１系統とデジタル映像出力を持つデコード手段と、前記デコード手段からの映像・音声データをＨＤＭＩ伝送するＨＤＭＩ出力手段と、前記デコード手段からの音声データをアナログ信号に変換して出力するアナログ音声出力手段と、ＨＤＭＩ接続先情報と設定を入力してデコード手段の音声出力を制御する制御手段とを備え、前記制御手段から入力されるＨＤＭＩ接続先情報によってＨＤＭＩ出力とアナログ出力の音声方式を決める設定と、ＨＤＭＩ接続先の音声情報を無視して音声方式を決める設定との、２つの設定を持つものであり、これにより、ＨＤＭＩ接続のテレビと、アナログ音声接続のアンプを使用する場合、コストアップ無しで最適な条件を設定することができる。
【００１２】
（実施の形態１）
図１は本発明の実施の形態における映像音声信号再生装置のブロック図を示す。図１において、１は入力される映像・音声ストリームを映像信号とデジタル音声信号とに変換するデコード手段、２はデコード手段１からの映像信号とデジタル音声信号とからＨＤＭＩフォーマットの信号を生成するＨＤＭＩ出力手段、３はデコード手段１からのデジタル音声信号をアナログ音声信号に変換して出力するアナログ音声出力手段で、本実施の形態では出力されるアナログ音声信号は、６ＣＨとなっているが、これに限定されない。４は制御手段であり、制御手段４には、接続先情報と設定が外部から入力される。設定としては、「ＨＤＭＩ接続先情報によってＨＤＭＩ出力とアナログ出力の音声方式を決める設定」と「ＨＤＭＩ接続先の音声情報を無視して音声方式を決める設定」とがある。
【００１３】
以上のように構成された本実施の形態の映像音声信号再生装置について、以下その動作について説明する。
【００１４】
まず図３を用いて全体構成を説明する。
【００１５】
図３はＨＤＭＩ接続の例を示す。図３において、３１は入力される映像信号を映出したり音声信号を出力したりするテレビジョン受像機（以下、テレビと記す）、３２は入力される音声信号を増幅などの信号処理を行うＡＶアンプ、３３はＤＶＤディスクなどの記録媒体を装填しその記録媒体に記録された映像音声信号を再生する再生装置であるＤＶＤプレーヤで、本実施の形態ではＤＶＤプレーヤとしたが、これに限定されるものではなく、映像音声信号を出力可能なものであればこれに限定されない。３４はＡＶアンプ３２から出力される音声信号を音響出力可能なスピーカ群であり、本実施の形態では６個（６チャンネル）のスピーカー群としたがこの個数やチャンネル数には限定されない。
【００１６】
ＤＶＤプレーヤ３３からテレビ３１へはＨＤＭＩで接続され、ＤＶＤプレーヤ３３のアナログ音声出力がＡＶアンプ３２に接続され、ＡＶアンプ３２のスピーカ出力がスピーカ群２４に接続されて構成されている。ＤＶＤプレーヤ３３は、ＨＤＭＩ接続先であるテレビの情報を読みとり、テレビの音声が２チャンネルなので、２チャンネルで出力する。ＤＶＤプレーヤ３３からのＨＤＭＩの音声とアナログ音声出力が両方とも２チャンネルになってしまい、ＡＶアンプから接続されているスピーカ群からは、２チャンネルの音しか出ない。
【００１７】
次に、ＤＶＤプレーヤ３３の内部構成について説明する。
【００１８】
まず、「ＨＤＭＩ接続先情報によってＨＤＭＩ出力とアナログ出力の音声方式を決める設定」である場合、制御手段４はＨＤＭＩ接続先情報を読み取り、その情報に合わせて音声出力するようにデコード手段１を制御する。デコード手段１には映像・音声ストリームが入力されており、デコード手段１からの映像出力とデジタル音声出力はＨＤＭＩ出力手段２でＨＤＭＩ信号に変換され出力される。デコード手段１からのデジタル音声出力はアナログ音声出力手段３に接続され、アナログ音声出力手段３からアナログ音声出力される。アナログ音声出力は、ＨＤＭＩ接続先情報によって決められてしまう。
【００１９】
次に「ＨＤＭＩ接続先の音声情報を無視して音声方式を決める設定」である場合、制御手段４はＨＤＭＩ接続先情報を無視するので、デコード手段１は入力される映像・音声ストリームをデコードしてそのまま出力し、アナログ音声出力手段３からアナログ音声出力される。図３のように接続している場合、「ＨＤＭＩ接続先の音声情報を無視して音声方式を決める設定」にすると、テレビ３１が２チャンネルであったとしても、ＤＶＤプレーヤ３３のアナログ音声出力は２チャンネルに制限されないので、スピーカ群３４からは６チャンネルの音が出る。
【００２０】
以上のように本実施形態によれば、ＨＤＭＩ接続のテレビ３１と、アナログ音声接続のアンプ３２を使用する場合、コストアップ無しで最適な条件を設定することができることとなる。
【産業上の利用可能性】
【００２１】
本発明は、ＤＶＤプレーヤなどの映像音声信号再生装置として説明をしたが、少なくとも映像信号と音声信号とをＨＤＭＩフォーマットで他機器と接続するようなものであれば、ＤＶＤプレーヤ以外にも応用範囲は広がる。
【図面の簡単な説明】
【００２２】
【図１】本発明の一実施の形態による映像音声信号再生装置のブロック図
【図２】ＨＤＭＩ接続の第１の例を示すブロック図
【図３】ＨＤＭＩ接続の第２の例を示すブロック図
【図４】映像音声信号再生装置の例を示すブロック図
【符号の説明】
【００２３】
１    デコード手段
２    ＨＤＭＩ出力手段
３    アナログ音声出力手段
４    制御手段
２１    テレビ
２２    ＡＶアンプ
２３    ＤＶＤプレーヤ
２４    スピーカ群
３１    テレビ
３２    ＡＶアンプ
３３    ＤＶＤプレーヤ
３４    スピーカ群
【図１】
2005310258.tif 000003
【図２】
2005310258.tif 000004
【図３】
2005310258.tif 000005
【図４】
2005310258.tif 000006